(57)【特許請求の範囲】
【請求項１】
制御チャネルリソースを割り当てる方法であって、
ネットワーク側は、セルのユーザ設備UEが報告したブロードバンドチャネル品質のパラメータ及び信号受信電力のパラメータを受信することと、
前記ネットワーク側は、受信した前記ブロードバンドチャネル品質のパラメータ及び信号受信電力のパラメータによって、統計して得られた前記セルの制御チャネルユニットCCEリソースを割り当てることとを含み、
前記UEが報告したブロードバンドチャネル品質のパラメータはブロードバンドチャネル品質指示CQIであり、前記UEが報告した信号受信電力のパラメータは該UEが属されたセルの参照信号受信電力RSRPである
ことを特徴とする方法。
【請求項２】
前記ネットワーク側は受信した前記ブロードバンドチャネル品質のパラメータ及び信号受信電力のパラメータによって、統計して得られた前記セルのCCEリソースを割り当てるステップは、
前記ネットワーク側が前記セルの公共スペースCCEリソースを統計し、該セルにおける前記UEが報告したブロードバンドチャネル品質のパラメータ及び信号受信電力のパラメータによってCCE重合度Lの値を確定し、得られた前記CCE重合度Lの値を採用して、得られた公共スペースCCEリソースを、公共スペースCCEリソースの割り当てを待つ下り制御情報DCIに割り当てるステップと、
前記ネットワーク側が、前記セルの専用スペースCCEリソース及び該セルの残った公共スペースCCEリソースを統計し、セルにおける割り当て待ちの前記UEのDCIxのタイプ及び該UEのブロードバンドチャネル品質のパラメータによってCCE重合度Lの値を確定し、得られた前記CCE重合度Lの値を採用して、セルにおける割り当て待ちのUEの下り優先レベルに従って、高いレベルから低いレベルまで順次に、得られたCCEリソースを該UEのDCIxの下り割り当てを行なうステップと、
前記ネットワーク側が前記セルの残った専用スペースCCEリソース及び残った公共スペースCCEリソースを統計し、該セルにおける割り当て待ちの前記UEのブロードバンドチャネル品質のパラメータによってCCE重合度Lの値を確定し、得られた前記CCE重合度Lの値を採用して、セルにおける割り当て待ちのUEの上り優先レベルによって、高いレベルから低いレベルまで順次に、得られたCCEリソースを該UEの上り認可割り当てを行なうことと、を含むことを特徴とする請求項１に記載の方法。
【請求項３】
前記ネットワーク側が前記セルにおける前記UEが報告したブロードバンドチャネル品質のパラメータ及び信号受信電力のパラメータによってCCE重合度Lの値を確定することは、
前記ネットワーク側は、前記セルにおけるアクティブにした、前記UEに報告されたブロードバンドチャネル品質のパラメータ値が第1しきい値より大きいまたは等しいであり、かつ前記UEに報告された信号受信電力のパラメータ値が第2しきい値より大きいまたは等しいであることを判断する時、前記ネットワーク側は、CCE重合度Lが4であることを確定し、
前記ネットワーク側は、前記セルにおけるアクティブにした、前記UEに報告されたブロードバンドチャネル品質のパラメータ値が前記第1しきい値より小さく、又は前記UEに報告された信号受信電力のパラメータ値が前記第2しきい値より小さいであることを判断する時、前記ネットワーク側はCCE重合度Lが8であることを確定することである、ことを特徴とする請求項２に記載の方法。
【請求項４】
前記ネットワーク側が統計して得られた前記CCEリソースは、前記CCEの数量及び該CCEの相応の位置情報を含み、
前記ネットワーク側は、統計して得られた前記セルのCCEリソースを割り当てた後、更に、前記ネットワーク側は、該割り当てられたCCEを該CCEの相応の位置情報によって物理下り制御チャネルPDCCHにマッピングすることを含むことを特徴とする請求項１に記載の方法。
【請求項５】
ネットワーク側に位置し、制御チャネルリソースを割り当てる装置であって、受信部及び制御チャネルユニットCCEリソース割り当て部を含み、その中、
前記受信部は、セルのユーザ設備UEが報告したブロードバンドチャネル品質のパラメータ及び信号受信電力のパラメータを受信し、且つ受信した前記ブロードバンドチャネル品質のパラメータ及び信号受信電力のパラメータを前記CCEリソース割り当て部に送信することに用いられ、
前記CCEリソース割り当て部は、前記セルのCCEリソースを統計し、受信した前記受信部が送信した前記ブロードバンドチャネル品質のパラメータ及び信号受信電力のパラメータによって、統計して得られた該セルのCCEリソースを割り当てることに用いられ、
前記UEが報告したブロードバンドチャネル品質のパラメータはブロードバンドチャネル品質指示CQIであり、前記UEが報告した信号受信電力のパラメータは該UEが属されたセルの参照信号受信電力RSRPであることを特徴とする装置。
【請求項６】
前記CCEリソース割り当て部は公共スペースCCE割り当て処理ユニット、下りCCEリソース計算ユニット、DCIxのCCE割り当て処理ユニット及びDCI0のCCE割り当て処理ユニットを含み、その中、
前記公共スペースCCE割り当て処理ユニットは、前記セルの公共スペースCCEリソースを統計し、受信した前記受信部が送信したブロードバンドチャネル品質のパラメータ及び信号受信電力のパラメータによってCCE重合度Lの値を確定し、得られた前記CCE重合度Lの値を採用して、得られた公共スペースCCEリソースを、公共スペースCCEリソースの割り当てを待つ下り制御情報DCIに割り当てし、且つ処理した後のデータを前記下りCCEリソース計算ユニットに送信することに用いられ、
前記下りCCEリソース計算ユニットは、受信した前記公共スペースCCE割り当て処理ユニットが送信した前記処理された後のデータによって、前記セルの専用スペースCCEリソース及び該セルの残った公共スペースCCEリソースを統計し、且つ前記DCIxのCCE割り当て処理ユニットに送信することに用いられ、
前記DCIxのCCE割り当て処理ユニットは、前記セルにおける割り当て待ちの前記UEのDCIxのタイプ及び該UEのブロードバンドチャネル品質のパラメータによってCCE重合度Lの値を確定し、得られた前記CCE重合度Lの値を採用して、セルにおける割り当て待ちのUEの下り優先レベルに従って、高いレベルから低いレベルまで順次に、受信した前記下りCCEリソース計算ユニットが送信された前記CCEリソースを該UEのDCIxの下り割り当てを行なって、且つ処理した後のデータを前記DCI0のCCE割り当て処理ユニットに送信することに用いられ、
前記DCI0のCCE割り当て処理ユニットは、受信した前記DCIxのCCE割り当て処理ユニットが送信した前記処理した後のデータによって、前記セルの残った専用スペースCCEリソース及び残った公共スペースCCEリソースを統計し、該セルにおける割り当て待ちの前記UEのブロードバンドチャネル品質のパラメータによってCCE重合度Lの値を確定し、得られた前記CCE重合度Lの値を採用して、セルにおける割り当て待ちのUEの上り優先レベルによって、高いレベルから低いレベルまで順次に、得られたCCEリソースを該UEの上り認可割り当てを行なうことを特徴とする請求項５に記載の装置。
【請求項７】
前記公共スペースCCE割り当て処理ユニットは、前記受信部が送信したブロードバンドチャネル品質のパラメータ及び信号受信電力のパラメータによってCCE重合度Lの値を確定することは、
前記DCIxのCCE割り当て処理ユニットは、前記セルにおけるアクティブにした前記UEに報告されたブロードバンドチャネル品質のパラメータ値が第1しきい値より大きいまたは等しいであり、かつ、前記UEに報告された信号受信電力のパラメータ値が第2しきい値より大きいまたは等しいである際、前記DCIxのCCE割り当て処理ユニットは、CCE重合度Lが4であることを確定し、
前記DCIxのCCE割り当て処理ユニットは、前記セルにおけるアクティブにした前記UEに報告されたブロードバンドチャネル品質のパラメータ値が前記第1しきい値より小さく、又は、前記UEに報告された信号受信電力のパラメータ値が前記第2しきい値より小さいである時、前記DCIxのCCE割り当て処理ユニットは、CCE重合度Lが8であることを確定することである、ことを特徴とする請求項６に記載の装置。
【請求項８】
前記CCEリソース割り当て部が統計して得る前記セルの前記CCEリソースは前記CCEの数量及び該CCEの相応の位置情報を含み、
CCEがPDCCHにマッピングする処理部をさらに含み、該CCEがPDCCHにマッピングする処理部は、前記CCEリソース割り当て部が送信した割り当てを行なう前記セルの前記CCEリソースのデータを受信し、該割り当てのCCEを該CCEの相応の位置情報によってPDCCHにマッピングすることに用いられることを特徴とする請求項５に記載の装置。
【発明の詳細な説明】
【技術分野】
【０００１】
本発明は、通信分野に関し、具体的に制御チャネルリソースを割り当てる方法及装置に関する。
【背景技術】
【０００２】
LTEは、ロング・ターム・エボリューション技術である。物理下り制御チャネル（PDCCH）は、制御チャネルユニット（CCE, Control  Channel  Element）からなり、下り制御情報（DCI, Downlink  Control  Information）情報をキャリアすることに用いられる。CCEが公共スペースCCE及び専用スペースCCEに分けて、そのうち、公共スペースCCEが第0〜15であり、ともに16個のCCEを有し、残りは専用スペースCCEである。文献3GPP  TS36.213.8.7.0に、DCIが占用して割り当てたCCEはHash関数で決まることを規定する。Hash関数は、サブフレーム番号、CCE総数、CCE重合度L(Aggregation level L)、PDCCH候補数(Number of PDCCH candidates M(L)及びユーザ設備(UE)の無線ネットワーク一時識別子（RNTI）に関係する。文献3GPP TS36.212.8.5.0によって、DCIは、DCIフォーマット0、フォーマット1、フォーマット1A、フォーマット1B、フォーマット1C、フォーマット1D、フォーマット2、フォーマット2A、フォーマット3及びフォーマット3Aを含む。
【０００３】
そのうち、DCIフォーマット0(DCI0と略称する)がUE上り認可に用いられる。
【０００４】
DCIフォーマット1、フォーマット1A、フォーマット1B、フォーマット1C、フォーマット1D、フォーマット2及びフォーマット2A(以下、すべてDCIxと称する)は、UEの下り割り当てに用いられる。
【０００５】
DCIフォーマット1、フォーマット1B、フォーマット1D、フォーマット2及びフォーマット2Aに対して、専用CCEリソースしかを割り当てなく、DCIフォーマット1C、フォーマット3及びフォーマット3Aに対して、公共CCEリソースしかを割り当てなく、DCIフォーマット0及びフォーマット1Aに対して、公共CCEリソース又は専用CCEリソースを割り当てられる。MAC層はある方式によってCCEリソースを割り当てる必要があるが、従来の技術は、また、どのようにCCEリソースを割り当てることに関しなく、このため、従来には、1つの方案を提供して、どのようにCCEリソースを割り当てる問題を解決する必要がある。
【発明の概要】
【発明が解決しようとする課題】
【０００６】
本発明が解決しようと技術問題は、CCEリソースを割り当てる問題を解決し、CCEリソースの使用率及びPDCCH復号成功率を向上する制御チャネルリソースを割り当てる方法及び装置を提供する。
【課題を解決するための手段】
【０００７】
上記問題を解決するために、本発明は、制御チャネルリソースを割り当てる方法を提供し、
ネットワーク側は、セルのユーザ設備UEが報告したブロードバンドチャネル品質のパラメータ及び信号受信電力のパラメータを受信すること、
前記ネットワーク側は、受信した前記ブロードバンドチャネル品質のパラメータ及び信号受信電力のパラメータによって、統計して得られた前記セルの制御チャネルユニットCCEリソースに割り当てることを含む。
【０００８】
さらに、上記方法は、さらに、前記ネットワーク側が受信した前記ブロードバンドチャネル品質のパラメータ及び信号受信電力のパラメータによって、統計して得られた前記セルのCCEリソースを割り当てるステップは、
前記ネットワーク側が前記セルの公共スペースCCEリソースを統計し、該セルにおける前記UEが報告したブロードバンドチャネル品質のパラメータ及び信号受信電力のパラメータによってCCE重合度Lの値を確定し、得られた前記CCE重合度Lの値を採用して、得られた公共スペースCCEリソースを割り当て待ち公共スペースCCEリソースの下り制御情報DCIに割り当てるステップと、
前記ネットワーク側が、前記セルの専用スペースCCEリソース及び該セルが残った公共スペースCCEリソースを統計し、セルにおける割り当て待ちの前記UEのDCIxのタイプ及び該UEのブロードバンドチャネル品質のパラメータによってCCE重合度Lの値を確定し、得られた前記CCE重合度Lの値を採用して、セルにおける割り当て待ちのUEの下り優先レベルに従って、高いレベルから低いレベルまで順次に得られたCCEリソースが該UEのDCIxの下り割り当てを行なうステップと、
前記ネットワーク側が前記セルの残った専用スペースCCEリソース及び残った公共スペースCCEリソースを統計し、該セルにおける割り当て待ちの前記UEのブロードバンドチャネル品質のパラメータによってCCE重合度Lの値を確定し、得られた前記CCE重合度Lの値を採用して、セルにおける割り当て待ちのUEの上り優先レベルによって、高いレベルから低いレベルまで順次に得られたCCEリソースに該UEの上り認可割り当てを行なうこと、を含むことができる。
【０００９】
さらに、上記方法は、さらに、前記ネットワーク側が前記セルにおける前記UEが報告したブロードバンドチャネル品質のパラメータ及び信号受信電力のパラメータによってCCE重合度Lの値を以下の通りに確定し、
前記ネットワーク側は、前記セルにおけるアクティブにした、前記UEが報告したブロードバンドチャネル品質のパラメータ値が第1しきい値以上であり、かつ前記UEが報告した信号受信電力のパラメータ値が第2しきい値以上であることを判断する時、前記ネットワーク側は、CCE重合度Lが4であることを確定し、
前記ネットワーク側は、前記セルにおけるアクティブにした、前記UEが報告したブロードバンドチャネル品質のパラメータ値が前記第1しきい値より小さいし、又は前記UEが報告された信号受信電力のパラメータ値が前記第2しきい値よりも小さいであることを判断する時、前記ネットワーク側はCCE重合度Lが8であることを確定することを含むことができる。
【００１０】
さらに、上記方法は、さらに、前記ネットワーク側が統計して得られた前記CCEリソースは、前記CCEの数量及び該CCEの相応の位置情報を含み、
前記ネットワーク側は、統計して得られた前記セルのCCEリソースを割り当てた後、更に、前記ネットワーク側は、該割り当てられたCCEを該CCEの相応の位置情報によって物理下り制御チャネルPDCCHにマッピングすることを含むことができる。
【００１１】
さらに、上記方法は、さらに、前記UEが報告したブロードバンドチャネル品質のパラメータがブロードバンドチャネル品質指示CQIであり、前記UEが報告した信号受信電力のパラメータは該UEが属されたセルの参照信号受信電力RSRPである。
【００１２】
本発明は、さらに、ネットワーク側に位置し、受信部及び制御チャネルユニットCCEリソース割り当て部を含む制御チャネルリソースを割り当てる装置を提供し、その中、
前記受信部は、セルのユーザ設備UEが報告したブロードバンドチャネル品質のパラメータ及び信号受信電力のパラメータを受信し、且つ受信した前記ブロードバンドチャネル品質のパラメータ及び信号受信電力のパラメータを前記CCEリソース割り当て部に送信することに用いられ、
前記CCEリソース割り当て部は、前記セルのCCEリソースを統計し、受信した前記受信部が送信した前記ブロードバンドチャネル品質のパラメータ及び信号受信電力のパラメータによって、統計して得られた該セルのCCEリソースに割り当てることに用いられる。
【００１３】
さらに、上記装置は、さらに、前記CCEリソース割り当て部が公共スペースCCE割り当て処理ユニット、下りCCEリソース計算ユニット、DCIxのCCE割り当て処理ユニット及びDCI0のCCE割り当て処理ユニットを含み、その中、
前記公共スペースCCE割り当て処理ユニットは、前記セルの公共スペースCCEリソースを統計し、受信した前記受信部が送信したブロードバンドチャネル品質のパラメータ及び信号受信電力のパラメータによってCCE重合度Lの値を確定し、得られた前記CCE重合度Lの値を採用して、得られた公共スペースCCEリソースを割り当て待ち公共スペースCCEリソースの下り制御情報DCIに割り当てし、且つ処理した後のデータを前記下りCCEリソース計算ユニットに送信することに用いられ、
前記下りCCEリソース計算ユニットは、受信した前記公共スペースCCE割り当て処理ユニットが送信した前記処理された後のデータによって、前記セルの専用スペースCCEリソース及び該セルが残った公共スペースCCEリソースを統計し、且つ前記DCIxのCCE割り当て処理ユニットに送信することに用いられ、
前記DCIxのCCE割り当て処理ユニットは、前記セルにおける割り当て待ちの前記UEのDCIxのタイプ及び該UEのブロードバンドチャネル品質のパラメータによってCCE重合度Lの値を確定し、得られた前記CCE重合度Lの値を採用して、セルの割り当て待ちのUEの下り優先レベルに従って、高いレベルから低いレベルまで、順次に受信した前記下りCCEリソース計算ユニットが送信された前記CCEリソースを該UEのDCIxの下り割り当てを行なって、且つ処理した後のデータを前記DCI0のCCE割り当て処理ユニットに送信することに用いられ、
前記DCI0のCCE割り当て処理ユニットは、受信した前記DCIxのCCE割り当て処理ユニットが送信した前記処理した後のデータによって、前記セルが残った専用スペースCCEリソース及び残った公共スペースCCEリソースを統計し、該セルにおける割り当て待ちの前記UEのブロードバンドチャネル品質のパラメータによってCCE重合度Lの値を確定し、得られた前記CCE重合度Lの値を採用して、セルにおける割り当て待ちのUEの上り優先レベルによって、高いレベルから低いレベルまで順次に得られたCCEリソースに該UEの上り認可割り当てを行なうことを含むことができる。
【００１４】
さらに、上記装置は、さらに、前記公共スペースCCE割り当て処理ユニットは、前記受信部が送信したブロードバンドチャネル品質のパラメータ及び信号受信電力のパラメータによってCCE重合度Lの値を以下のように確定する。
【００１５】
前記DCIxのCCE割り当て処理ユニットは、前記セルにアクティブにした前記UEが報告したブロードバンドチャネル品質のパラメータ値が第1しきい値以上であり、かつ、前記UEが報告した信号受信電力のパラメータ値が第2しきい値以上である際、前記DCIxのCCE割り当て処理ユニットが、CCE重合度Lが4であることを確定し、
前記DCIxのCCE割り当て処理ユニットは、前記セルにアクティブにした前記UEが報告したブロードバンドチャネル品質のパラメータ値が前記第1しきい値よりも小さいし、又は、前記UEが報告した信号受信電力のパラメータ値が前記第2しきい値よりも小さいである時、前記DCIxのCCE割り当て処理ユニットが、CCE重合度Lが8であることを確定することを含むことができる。
【００１６】
さらに、上記装置は、さらに、前記CCEリソース割り当て部が統計して前記セルの前記CCEリソースが前記CCEの数量及び該CCEの相応の位置情報を含むことを得られることを含むことができ、
さらに、CCEが物理下り制御チャネルPDCCHにマッピングする処理部を含み、該CCEがPDCCHにマッピングする処理部は、前記CCEリソース割り当て部が送信した割り当てを行なう前記セルの前記CCEリソースのデータを受信し、該割り当てのCCEを該CCEの相応の位置情報によってPDCCHにマッピングすることに用いられる。
【００１７】
さらに、上記装置は、さらに、前記UEが報告したブロードバンドチャネル品質のパラメータは、ブロードバンドチャネル品質指示CQIであり、前記UEが報告した信号受信電力のパラメータは、該UEが属されたセルの参照信号受信電力RSRPである。
【発明の効果】
【００１８】
従来の技術と比べて、本発明を応用して、CCEリソースを割り当てる問題を解決し、CCEリソース使用率及びPDCCH復号の成功率を向上させる。
【図面の簡単な説明】
【００１９】
【図１】本発明におけるネットワーク側でCCEを割り当てる方法のプロセス図である。
【図２】本発明における制御チャネルリソースを割り当てる装置の構造模式図である。
【図３】本発明の実例における公共スペースCCEリソース割り当て処理のプロセス図である。
【図４】本発明実例における下りCCEリソース計算のプロセス図である。
【図５】本発明実例におけるDCIxのCCEリソース割り当て処理のプロセス図である。
【図６】本発明実例におけるDCI0のCCEリソース割り当て処理のプロセス図である。
【発明を実施するための形態】
【００２０】
以下、図面と具体的な実施様態を結合して、本発明に対してさらに説明する。
本発明の主な考えは、ネットワーク側がセルのCCEリソースを統計し、セルのUEが報告したブロードバンドチャネル品質のパラメータ及び信号受信電力のパラメータによって、前記の得られたセルのCCEリソースを割り当てる。
【００２１】
そのうち、UEが報告したブロードバンドチャネル品質のパラメータは、ブロードバンドチャネル品質指示（CQI）であってもよく、UEが報告した信号受信電力のパラメータが参照信号受信電力（RSRP）であってもよい。
【００２２】
ネットワーク側が基地局（eNB）であっても良い。
図1に示すように、本発明に、ネットワーク側がCCEを割り当てる方法は、具体的に以下のステップを含み、
ステップ110、ネットワーク側がセルの公共スペースCCEリソースを統計し、該セルにおけるUEが報告したブロードバンドCQI及びRSRPによってCCE重合度Lの値を確定し、得られた前記CCE重合度Lの値を採用して、得られたCCEリソースを割り当て待ち公共スペースCCEリソースのDCIに割り当てるし、且つ該割り当ての公共スペースCCEをPDCCHにマッピングし、
前記割り当て待ち公共スペースCCEリソースのDCIとは、ランダムアクセス応答、放送スケジューリング、ページングスケジューリング、DCIフォーマット3、フォーマット3A及びMSG3の再送信認可における一種又は多種に用いられる該UEに属されたセルのDCIである。そのうち、MSG3とは、UL-SCH(Uplink-Shared  Channel)伝送チャネルに伝送したC-RNTIMACCE(C-RNTIがCell  Radio  Network  Temporary  Identifierであり、CEがControl  Elementである)又はCCCHSDU(CCCHがCommon  Control  Channelであり、SDUがService  Data  Unitである)を含む情報であり、ランダムアクセスの一部である。
ネットワーク側が得られた前記CCEリソースは、CCEの数量及び該CCEの相応の位置情報を含む。
【００２３】
前記ネットワーク側がセルにUEが報告したブロードバンドCQI及びRSRPによってCCE重合度Lの値を確定し、具体的にセルにアクティブにしたUEが報告したブロードバンドCQI値が第1しきい値a以上であり、かつ、UEが報告したRSRP値が第2しきい値b以上である時、CCE重合度Lが4であることを確定し、セルにアクティブにしたUEが報告したブロードバンドCQI値が第1しきい値aよりも小さいである時、又はUEが報告したRSRP値が第2しきい値bよりも小さいである時、CCE重合度Lが8であることを確定する。
【００２４】
ステップ120、ネットワーク側がセルの専用スペースCCEリソース及びセルの残った公共スペースCCEリソースを統計し、セルに割り当て待ちの前記UEのDCIxのタイプ及び該UEのブロードバンドCQIによってCCE重合度Lの値を確定し、得られた前記CCE重合度Lの値を採用して、セルに割り当て待ちのUEの下り優先レベルによって、高いレベルから低いレベルまで順次に得られたCCEリソースに該UEのDCIxの下り割り当てを行なって、且つ割り当てたCCEをPDCCHにマッピングし、
そのうち、残った公共スペースCCEリソースの計算に、切り上げの算法を採用する。
ネットワーク側が得られた前記CCEリソースは、CCEの数量及び該CCEの相応の位置情報を含む。
【００２５】
前記ネットワーク側は、CCE重合度Lの値に、DCIフォーマット1、フォーマット1A、フォーマット1B及びフォーマット1Dに対して表1に示したCCE重合度Lを採用し、DCIフォーマット2及びフォーマット2Aに対して、表2に示したCCE重合度Lを採用する。（注意すべきことは、表1及び表2がただ1つの例の説明であり、幅CQI及びDCIによって決めたCCE重合度Lに符合するものは、全て保護すべきである）。
【００２６】
【表１】
0005480963.tif 000002
【００２７】
【表２】
0005480963.tif 000003
【００２８】
ステップ130、ネットワーク側はセルの残った専用スペースCCEリソース及び残った公共スペースCCEリソースを統計して、セルに割り当て待ちの前記UEのブロードバンドCQIによってCCE重合度Lの値を確定し、得られた前記CCE重合度Lの値を採用して、セルに割り当て待ちのUEの上り優先レベルに従って、高いレベルから低いレベルまで順次に得られたCCEリソースに該UEの上り認可割り当てを行なって、且つ割り当てされたCCEをPDCCHにマッピングする。
ネットワーク側が得られた前記CCEリソースは、CCEの数量及び該CCEの相応の位置情報を含む。
【００２９】
そのうち、ネットワーク側が確定したCCE重合度Lの値が表1によって得られたものである。
【００３０】
図2に示すように、制御チャネルリソースを割り当て装置であって、ネットワーク側（例えばeNB）に位置し、MAC層（媒体アクセス制御層）及び物理層を含み、それが受信部、CCEリソース割り当て部、及び、CCEがPDCCHにマッピングする処理部を含み、そのうち、
前記受信部は、セルのユーザ設備UEが報告したブロードバンドチャネル品質のパラメータ及び信号受信電力のパラメータを受信し、且つ受信した前記パラメータを前記CCEリソース割り当て部に送信することに用いられ、
前記CCEリソース割り当て部は、前記セルのCCEリソースを統計し、受信した前記受信部が送信した前記ブロードバンドチャネル品質のパラメータ及び信号受信電力のパラメータによって、統計して得られた該セルのCCEリソースに割り当てることに用いられる。
前記CCEリソース割り当て部が統計して得られた前記CCEリソースは、前記CCEの数量及び該CCEの相応の位置情報を含む。
【００３１】
前記CCEリソース割り当て部は、公共スペースCCE割り当て処理ユニット、下りCCEリソース計算ユニット、DCIxのCCE割り当て処理ユニット及びDCI0のCCE割り当て処理ユニットを含み、そのうち、
前記公共スペースCCE割り当て処理ユニットは、前記セルの公共スペースCCEリソースを統計し、受信した該セルの前記UEが報告したブロードバンドチャネル品質のパラメータ及び信号受信電力のパラメータによってCCE重合度Lの値を確定し、得られた前記CCE重合度Lの値を採用して、得られた公共スペースCCEリソースを割り当て待ち公共スペースCCEリソースの下り制御情報DCIに割り当てし、且つ処理した後のデータを前記下りCCEリソース計算ユニットに送信することに用いられ、
公共スペースCCE割り当て処理ユニットは、スケジューラから得られた現在伝送時間間隔（TTI）に公共スペースCCEに割り当てることを待っているDCIである。
【００３２】
前記公共スペースCCE割り当て処理ユニットは、前記セルに前記UEが報告したブロードバンドチャネル品質のパラメータ及び信号受信電力のパラメータによってCCE重合度Lの値を確定することは、
前記セルにアクティブにした、前記UEが報告したブロードバンドチャネル品質のパラメータ値が第1しきい値a以上であり、かつ前記UEが報告した信号受信電力のパラメータ値が第2しきい値b以上である時、前記DCIxのCCE割り当て処理ユニットは、CCE重合度Lが4であることを確定し、
前記セルにアクティブにした、前記UEが報告したブロードバンドチャネル品質のパラメータ値が前記第1しきい値aより小さいし、又は前記UEが報告した信号受信電力のパラメータ値が前記第2しきい値bよりも小さいである時、前記前記DCIxのCCE割り当て処理ユニットはCCE重合度Lが8であることを確定する。
【００３３】
前記下りCCEリソース計算ユニットは、受信した前記公共スペースCCE割り当て処理ユニットが送信した前記処理した後のデータによって、前記セルの専用スペースCCEリソース及び該セルが残った公共スペースCCEリソースを統計し、且つ前記DCIxのCCE割り当て処理ユニットに送信することに用いられ、
前記DCIxのCCE割り当て処理ユニットは、前記セルにおける割り当て待ちの前記UEのDCIxのタイプ及び該UEのブロードバンドチャネル品質のパラメータによってCCE重合度Lの値を確定し、得られた前記CCE重合度Lの値を採用して、セルの割り当て待ちのUEの下り優先レベルに従って、高いレベルから低いレベルまで、順次に受信した前記下りCCEリソース計算ユニットが送信された前記CCEリソースに該UEのDCIxの下り割り当てを行なって、且つ処理した後のデータを前記DCI0のCCE割り当て処理ユニットに送信することに用いられ、
前記DCIxのCCE割り当て処理ユニットは、スケジューラから得られた現在TTIに各のスケジューリングされたUEが使用しているDCIxである。
【００３４】
前記DCIxのCCE割り当て処理ユニットがCCE重合度Lの値を確定することとは、DCIフォーマット1、フォーマット1A、フォーマット1B及びフォーマット1Dに対して表1示したCCE重合度Lを採用し、DCIフォーマット2及びフォーマット2Aに対して表2に示したCCE重合度Lを採用することである。
【００３５】
前記DCI0のCCE割り当て処理ユニットは、受信した前記DCIxのCCE割り当て処理ユニットが送信した前記処理した後のデータによって、前記セルが残った専用スペースCCEリソース及び残った公共スペースCCEリソースを統計し、該セルにおける割り当て待ちの前記UEのブロードバンドチャネル品質のパラメータによってCCE重合度Lの値を確定し、得られた前記CCE重合度Lの値を採用して、セルにおける割り当て待ちのUEの上り優先レベルによって、高いレベルから低いレベルまで順次に得られたCCEリソースに該UEの上り認可割り当てを行なうことに用いられる。
【００３６】
前記DCI0のCCE割り当て処理ユニットは、スケジューラから得られた現在TTIにおける各のスケジューリングされたUEが使用したDCI0であり、且つ表1を採用してCCE重合度Lを確定する。
【００３７】
前記CCEがPDCCHにマッピングする処理部は、前記CCEリソース割り当て部が送信した割り当てを行なう前記セルの前記CCEリソースのデータを受信し、該割り当てたCCEを該CCEの相応の位置情報によってPDCCHにマッピングすることに用いられる。
以下、具体実例を結合して本発明に対してさらに説明する。
【００３８】
本実施例に、セルのサイクリックプリフィックス（Cyclic  Prefix）がNormalに設置され、セルの帯域幅が20MHzであり、2つの送信アンテナポートを採用し、PDCCHが三つのOFDM符号を占用し、及び、物理ミックスARQ指示チャネル（PHICH）の組数が3であり、セルに五つのUEがあり、それぞれUE0、UE1、UE2、UE3及びUE4であり、そのセル無線ネットワーク一時識別子（C-RNTI）がそれぞれ60、82、109、110及び178であり、サブフレーム2に、1つのDCI1C、UE0のDCI0及びDCI1、UElのDCI0及びDCI2、及びUE2のDCI0及びDCI1A割り当て待ちCCEを有し、且つこの際、UE0、UEl及びUE2のブロードバンドCQIは、それぞれ10、7及び3であり、UE2及びUE4が報告したRSRPは、それぞれ3及び10であり、本発明実例に、eNBがCCEを割り当てる方法は、以下のステップを含み、
ステップ300、図3に示すように、公共スペースCCE割り当て処理ユニットは、セルの総のCCEリソースを87個のCCEと計算して、公式min{16,セルの総のCCE数}によってセルの公共スペースCCEリソースが16個のCCEであることを得て、それぞれCCE0〜CCE15である。セルにUEのブロードバンドCQIがaよりも小さいことがなく、UEが報告したRSRPがbよりも小さいこともなく(本実例に、a=3、b=3である)、このため、割り当て待ちの公共スペースCCEのDCIに対してCCE重合度Lが4であることを採用して割り当てる。DCI1Cに4つの公共スペースCCEを割り当てし、それぞれがCCE0〜CCE3であり、且つこの4つのCCEをCCEがPDCCHにマッピングする処理ユニットに送信し、CCEがPDCCHにマッピングする処理を行なって、公共スペースCCEの使用情報を更新する。公共スペースCCE割り当て処理ユニットがさらに、セルの総のCCE数87、公共スペースCCE数16、残った公共スペースCCE数12、及びその位置（CCE4-CCE15で表わす）情報を下りCCEリソース計算ユニットに送信する。
【００３９】
ステップ400、図4に示すように、下りCCEリソース計算ユニットは、公共スペースCCE割り当て処理ユニットが送信したセルの総のCCE数87、公共スペースCCE数16、残った公共スペースCCE数12及びその位置（CCE4〜CCE15で表わす）情報を受信した後、公式max{0,セルの総のCCE数-公共スペースCCE数}によって専用スペースCCE数が71個のCCE(それぞれCCE16〜CCE86で表わす)を算出し、y/(x＋y)（本実例にx=l、y=2を採用）の比例によって下りに分けた専用スペースCCE数および残った公共スペースCCE数(切り上げ)がそれぞれ48及び8であることを算出し、該情報をDCIxのCCE割り当て処理ユニットに送信する。
【００４０】
ステップ500、図5に示すように、DCIxのCCE割り当て処理ユニットは、下りCCEリソース計算ユニットが送信した専用スペースCCE数、残った公共スペースCCE数、及びその位置情報を受信し、次第に各スケジュールUEの下りDCIにCCE割り当て（本実例に、UEの下り優先レベルが高いレベルから低いレベルまでそれぞれUE0、UEl及びUE2である）を行なって、具体的に以下のステップを含み、
500a)先にUE0のDCI1を割り当てるし、DCI2/2Aでなくて、且つ該UEのブロードバンドCQIが10であるので、表1によって、該DCIxに対してCCE重合度Lが4及び8であることを採用することができ、先にCCE重合度Lが4であることを採用して割り当てし、Hash関数によって算出したCCEがCCE60〜CCE63であり、占用されなく、このため、CCE60〜CCE63をUE0のDCI1に割り当てるし、CCE60〜CCE63をCCEがPDCCHにマッピングする処理ユニットに送信し、CCEがPDCCHにマッピングする処理を行なって、CCEの使用情報を更新し、
500b)次に、UE1のDCI2を割り当てるし、該UEのブロードバンドCQIが7であるので、表2によって、該DCIxに対してCCE重合度Lが4及び8であることを採用することができ、先にCCE重合度Lが4であることを採用して割り当てを行なって、Hash関数によって算出したCCEがCCE20〜CCE23であり、占用されなく、このため、CCE4及びCCE5をUE1のDCI2に割り当てるし、CCE20〜CCE23をCCEがPDCCHにマッピングする処理ユニットに送信し、CCEがPDCCHにマッピングする処理を行なって、CCEの使用情報を更新し、
500c)再度UE2のDCI1Aを割り当てるしDCI2/2Aでなく、且つ該UEのブロードバンドCQIが3であるので、表1によって、該DCIxに対してCCE重合度Lが8であることを採用して割り当てを行なって、Hash関数によって算出したCCEがCCE8〜CCE15であり、占用されなく、このため、CCE8〜CCE15をUE2のDCI1Aに割り当てるし、CCE8〜CCE15をCCEがPDCCHにマッピングする処理ユニットに送信し、CCEがPDCCHにマッピングする処理を行なって、CCEの使用情報を更新する。
【００４１】
下りDCIxのすべての割り当てが終わることを判断し、DCIxのCCE割り当て処理ユニットがDCI0のCCE割り当て処理ユニットに残った専用スペースCCEリソース及び残った公共スペースCCEリソースの数量及び位置情報を送信し、残った専用スペースCCEが63個のCCEであり、CCE20〜CCE23及びCCE60〜CCE63が占用され、残った公共スペースCCEが4個のCCEであり、CCE0〜CCE3及びCCE8〜CCE15が占用される。
【００４２】
ステップ600、図6に示すように、DCI0のCCE割り当て処理ユニットは、DCIxのCCE割り当て処理ユニットが送信した残った専用スペースCCEリソース及び残った公共スペースCCEリソースの数量及び位置情報を送信し、次第に各スケジュールUEの上りDCIにCCE割り当てを行なって（本実例にUEの上り優先レベルが高いレベルから低いレベルまでそれぞれUE1、UE2及びUE0である）、具体的に以下のステップを含み、
600a)先にUE1のDCI0を割り当てるし、該UEのブロードバンドCQIが7であり、表1によって、該DCIxに対してCCE重合度Lが4及び8であることを採用することができ、先にCCE重合度Lが4であることを採用して割り当てるし、Hash関数によって算出したCCEがCCE20〜CCE23であり、占用され、PDCCH候補数M（4）におけるCCE24〜CCE27が占用されなく、このため、CCE24〜CCE27をUE1のDCI0に割り当てるし、CCE24〜CCE27をCCEがPDCCHにマッピングする処理ユニットに送信し、CCEがPDCCHにマッピングする処理を行なって、CCEの使用情報を更新し、
600b)次に、UE2のDCI0を割り当てるし、該UEのブロードバンドCQIが3であり、表1によって、該DCI0にCCE重合度Lが8であることを採用して割り当てを行なって、Hash関数によって算出したCCEがCCE8〜CCE15であり、占用され、PDCCH4候補数M（8）におけるCCE16〜CCE23が占用されなく、このため、CCE16〜CCE23をUE2のDCI0に割り当てるし、CCE16〜CCE23をCCEがPDCCHにマッピングする処理ユニットに送信し、CCEがPDCCHにマッピングする処理を行なって、CCEの使用情報を更新し、
600c)再度UE0のDCI0を割り当てるし、該UEのブロードバンドCQIが10であり、表1によって、該DCI0に対してCCE重合度Lが4及び8であることを採用することができ、先にCCE重合度Lが4であることを採用して割り当てを行なって、Hash関数によって算出したCCEがCCE60〜CCE63であり、占用され、PDCCH候補数M（4）におけるCCE64〜CCE67が占用しなく、このため、CCE64〜CCE67をUE0のDCI0に割り当てるし、CCE64〜CCE67をCCEがPDCCHにマッピングする処理ユニットに送信し、CCEがPDCCHにマッピングする処理を行なって、CCEの使用情報を更新する。上りDCI0のすべての割り当てが終わることを判断し、該サブフレーム内のCCEの割り当てが終わる。
【００４３】
前記のように、ただ本発明の好ましい具体的な実施方式であるが、本発明の保護範囲はこれに限定しなく、いずれの従業員は、本発明の公開した技術範囲内に、易しくて考えた変化又は切り替えは、本発明の保護範囲内に含まれるべきである。このため、本発明の保護範囲は請求項の範囲の保護範囲を基準とする。
【図１】
0005480963.tif 000004
【図２】
0005480963.tif 000005
【図３】
0005480963.tif 000006
【図４】
0005480963.tif 000007
【図５】
0005480963.tif 000008
【図６】
0005480963.tif 000009